【手続補正書】
【提出日】平成19年4月6日(2007.4.6)
【手続補正１】
【補正対象書類名】明細書
【補正対象項目名】特許請求の範囲
【補正方法】変更
【補正の内容】
【特許請求の範囲】
【請求項１】
マニホルドヒータ（３２）により加熱される射出成形マニホルド（１６）と、
ウエル（５８）を有する型プレート（４０）であって、前記マニホルドから空気スペース（３８）により分離された型プレート（４０）と、
型穴（２８）と連通する型ゲート（２６）と、
前記ウエルに着座させられるとともに前記マニホルドと前記型ゲートとの間に配置された射出ノズル（２２）であって、長手方向軸を有するノズル融成物孔（２４）を備えたノズル本体（６８）を有する射出ノズル（２２）と、
前記ノズル本体（６８）に固定された第１の電気抵抗性ヒータであって、前記ノズル本体の回りに巻き付けられるとともにこのノズル本体から電気的に絶縁されている第１の導線素子（８０）を有する第１電気抵抗性ヒータと、
前記ノズル本体（６８）に固定された第２の電気抵抗性ヒータであって、前記ノズル本体の回りに巻き付けられるとともにこのノズル本体から電気的に絶縁されている第２の導線素子（９０）を有する第２電気抵抗性ヒータと、を含む射出成形装置において、
前記第１電気抵抗性ヒータ（８０）および前記第２電気抵抗性ヒータ（９０）は、前記ノズル本体の一端から前記ノズル本体の別の端に至るように配備され、
前記第２電気抵抗性ヒータは前記第１電気抵抗性ヒータの操作上の代理機能を果たす
ことを特徴とする射出成形装置。
【請求項２】
前記第１電気抵抗性ヒータ（８０）および前記第２電気抵抗性ヒータ（９０）は、前記ノズルの一端部において相互に近接配置された巻線を有することを特徴とする請求項１に記載の射出成形装置。
【請求項３】
前記第１電気抵抗性ヒータ（８０）の相互に近接配置された巻線は、前記第２電気抵抗性ヒータ（９０）の相互に近接配置された巻線に隣接していることを特徴とする請求項２に記載の射出成形装置。
【請求項４】
前記第１電気抵抗性ヒータ（８０）および前記第２電気抵抗性ヒータ（９０）は、コイル状である（１２０）ことを特徴とする請求項１に記載の射出成形装置。
【請求項５】
前記第１電気抵抗性ヒータ（８０）および前記第２電気抵抗性ヒータ（９０）は、折り畳まれている（１２０、１２４）ことを特徴とする請求項１に記載の射出成形装置。
【請求項６】
前記ノズルはその一端を前記マニホルドに固着され、その他端を前記型ゲート付近に固着されていることを特徴とする請求項１に記載の射出成形装置。
【請求項７】
前記ノズルは、ねじ切り部分によって前記マニホルドに固着されていることを特徴とする請求項６に記載の射出成形装置。
【請求項８】
前記第１導線素子および第２導線素子は、同時的に作動可能であることを特徴とする請求項１に記載の射出成形装置。
【請求項９】
前記第１導線素子および第２導線素子の作動は、より高いワット数のヒータを得ることを可能とすることを特徴とする請求項１に記載の射出成形装置。
【請求項１０】
マニホルドヒータ（３２）により加熱される射出成形マニホルド（１６）と、
ウエル（５８）を有する型プレート（４０）であって、前記マニホルドから空気スペース（３８）により分離された型プレート（４０）と、
型穴（２８）と連通する型ゲート（２６）と、
前記ウエルに着座させられるとともに前記マニホルドと前記型ゲートとの間に配置された射出ノズル（２２）であって、長手方向軸を有するノズル融成物孔（２４）を備えたノズル本体（６８）を有する射出ノズル（２２）と、
前記ノズル本体（６８）に固定された第１の電気抵抗性ヒータであって、前記ノズル本体の回りに巻き付けられるとともにこのノズル本体から電気的に絶縁されている第１の折り畳まれた導線素子（８０）を有する第１電気抵抗性ヒータと、
前記ノズル本体（６８）に固定された第２の電気抵抗性ヒータであって、前記ノズル本体の回りに巻き付けられるとともにこのノズル本体から電気的に絶縁されている第２の折り畳まれた導線素子（９０）を有する第２電気抵抗性ヒータと、を含む射出成形装置において、前記第１電気抵抗性ヒータ（８０）および前記第２電気抵抗性ヒータ（９０）は、前記ノズル本体の一端から前記ノズル本体の別の端に至るように配備され、前記第１電気抵抗性ヒータおよび前記第２電気抵抗性ヒータは、前記ノズルの一端部において相互に近接配置された巻線を有することを特徴とする射出成形装置。
【請求項１１】
前記第１電気抵抗性ヒータ（８０）および前記第２電気抵抗性ヒータ（９０）は、コイル状である（１２０）ことを特徴とする請求項１０に記載の射出成形装置。
【請求項１２】
前記第１電気抵抗性ヒータ（８０）の相互に近接配置された巻線は、前記第２電気抵抗性ヒータ（９０）の相互に近接配置された巻線に隣接していることを特徴とする請求項１０に記載の射出成形装置。
【請求項１３】
前記ノズルはその一端を前記マニホルドに固着され、その他端を前記型ゲート付近に固着されていることを特徴とする請求項１０に記載の射出成形装置。
【請求項１４】
前記ノズルは、ねじ切り部分によっ前記マニホルドに固着されていることを特徴とする請求項１３に記載の射出成形装置。
【請求項１５】
前記第２電気抵抗性ヒータは前記第１電気抵抗性ヒータの操作上の代理機能を果たすことを特徴とする請求項１０に記載の射出成形装置。
【請求項１６】
前記第１導線素子および第２導線素子は、同時的に作動可能であることを特徴とする請求項１０に記載の射出成形装置。
【請求項１７】
前記第１導線素子および第２導線素子の作動は、より高いワット数のヒータを得ることを可能とすることを特徴とする請求項１０に記載の射出成形装置。
【請求項１８】
射出成形マニホルドとともに作動可能な射出成形ホット・ランナ・ノズルであって、
ノズル本体と、融成物を型穴に供給するための融成物孔とを有するノズルであって、前記マニホルド付近の端と型ゲート付近の別の端との間に画定された長さを有するノズルと、
前記ノズル本体に固定された第１の電気抵抗性ヒータであって、前記ノズル本体から電気的に絶縁されている第１の導線素子を有する第１電気抵抗性ヒータにおいて、この第１電気抵抗性ヒータは前記ノズルの回りに巻線の分布を異ならせながら螺旋的に巻き付けられ前記ノズルの略全長に亘って延び、前記融成物孔に熱を加える第１電気抵抗性ヒータと、
前記ノズル本体に固定された第２の電気抵抗性ヒータであって、前記ノズル本体から電気的に絶縁されている第２の導線素子を有する第２電気抵抗性ヒータにおいて、この第２電気抵抗性ヒータは前記ノズルの回りに巻線の分布を異ならせながら螺旋的に巻き付けられ前記ノズルの全長に亘って延び、前記第１電気抵抗性ヒータが欠落した場合に操作上の代理機能を果たす第２電気抵抗性ヒータと、を備えたことを特徴とする射出成形ホット・ランナ・ノズル。
【請求項１９】
前記第１電気抵抗性ヒータの巻線の分布と前記第２電気抵抗性ヒータの巻線の分布とは、前記ノズルの全長に沿って略同一であることを特徴とする請求項１８に記載の射出成形ホット・ランナ・ノズル。
【請求項２０】
前記第１電気抵抗性ヒータおよび前記第２電気抵抗性ヒータは、コイル状であることを特徴とする請求項１８に記載の射出成形ホット・ランナ・ノズル。
【請求項２１】
前記第１電気抵抗性ヒータおよび前記第２電気抵抗性ヒータは、折り畳まれていることを特徴とする請求項１８に記載の射出成形ホット・ランナ・ノズル。
【請求項２２】
前記第１導線素子および第２導線素子は、同時的に作動可能であることを特徴とする請求項１８に記載の射出成形ホット・ランナ・ノズル。
【請求項２３】
前記第１導線素子および第２導線素子の作動は、より高いワット数のヒータを得ることを可能とすることを特徴とする請求項１８に記載の射出成形ホット・ランナ・ノズル。
【請求項２４】
射出成形マニホルドとともに作動可能な射出成形ホット・ランナ・ノズルであって、
融成物孔を有するノズル本体と、
主たるヒータ導線素子を電源に接続するための冷たいピンコネクションを有する主ヒータ導線素子であって、この主ヒータ導線素子は前記ノズル本体の回りにその全長に亘って巻き付けられて前記融成物孔内の融成物を加熱するとともに、前記ノズルの少なくとも一端に近接する部分において相互に近接配置される巻線を有する主ヒータ導線素子と、
前記ノズル本体の回りに前記主ヒータ導線素子と同一の長さに亘って巻き付けられて、前記主ヒータ導線素子がが欠落した場合に、前記融成物孔内の融成物を加熱する代理のヒータ導線素子と、を備えたことを特徴とする射出成形ホット・ランナ・ノズル。
【請求項２５】
前記代理ヒータ導線素子は、より高いワット数のヒータを得ることを可能とするように前記主ヒータ導線素子とともに作動可能であることを特徴とする請求項２４に記載の射出成形ホット・ランナ・ノズル。
【請求項２６】
前記代理ヒータ導線素子は、前記ノズルの少なくとも一端に近接する部分において相互に近接配置される巻線を有することを特徴とする請求項２４に記載の射出成形ホット・ランナ・ノズル。
【請求項２７】
前記主ヒータ導線素子および前記代理ヒータ導線素子は、前記ノズル本体から電気的に絶縁されていることを特徴とする請求項２４に記載の射出成形ホット・ランナ・ノズル。
【請求項２８】
前記主ヒータ導線素子および前記代理ヒータ導線素子は、前記ノズル本体に固定されていることを特徴とする請求項２４に記載の射出成形ホット・ランナ・ノズル。
【手続補正２】
【補正対象書類名】図面
【補正対象項目名】図２
【補正方法】変更
【補正の内容】
【図２】
2003525781.tif 000001
【手続補正３】
【補正対象書類名】図面
【補正対象項目名】図３
【補正方法】変更
【補正の内容】
【図３】
2003525781.tif 000002
【手続補正４】
【補正対象書類名】図面
【補正対象項目名】図６
【補正方法】変更
【補正の内容】
【図６】
2003525781.tif 000003
【手続補正５】
【補正対象書類名】図面
【補正対象項目名】図７
【補正方法】変更
【補正の内容】
【図７】
2003525781.tif 000004
【手続補正６】
【補正対象書類名】図面
【補正対象項目名】図１０
【補正方法】変更
【補正の内容】
【図１０】
2003525781.tif 000005